(57)【要約】【課題】鼻環と台木からなる鼻木タイプの牛の鼻輪でも、鼻環を鼻上げから下げたときに、台木部分が牛の口に入りづらい牛の鼻輪を提供する。【解決手段】弾性体よりなる環体２１の一端に矢尻状の突刺杆２２を設け、他端に前記突刺杆２２が係止する結合部８を設けた牛の鼻輪において、環体２１は縦幅よりも横幅の大きいものとし、環体２１の完成状態としては前記結合部８が上部窪みに位置するハート形とした。【選択図】      図１
2011115092.tif 000002
【特許請求の範囲】
【請求項１】
弾性体よりなる環体の一端に矢尻状の突刺杆を設け、他端に前記突刺杆が係止する結合部を設けた牛の鼻輪において、環体は縦幅よりも横幅の大きいものとし、環体完成状態としては前記結合部が上部窪みに位置するハート形としたことを特徴とする牛の鼻輪。
【請求項２】
ハート形とした環体の本体には、環体の下部中央頂点を境に左右の途中環体を横切るように掛け渡すゴムバンドまたは紐の係止段部を外向きに形成した請求項１記載の牛の鼻輪。
【発明の詳細な説明】
【技術分野】
【０００１】
本発明は、ロープ等の係留などに使用する牛の鼻に装着する鼻輪に関するものである。
【背景技術】
【０００２】
牛の鼻輪は、これにロープ等の係留して引っ張ったりするもので、古くは、農作業の際に牛にいう事を聞かせたり、爪切りや、病気の治療などの管理の際に体の大きな牛を扱いやすくするための物である。
【０００３】
かかる牛の鼻輪として、下記特許文献にあるように、弾性体よりなるＣ字状環体の一端に突刺杆を設け、他端に前記突刺杆が係止する結合部を設けたものが知られている。
【特許文献１】特公昭５６−３１０８３号公報
【特許文献２】特開平１０−８４８０４号公報
【特許文献３】特開平１１−１６９００８号公報
【０００４】
これは、図１４〜図１７にも示すように硬質合成樹脂製リングの一箇所を分離させてＣ字状環体１を形成し、一方の分離端に矢尻状の突刺杆２を、他方の分離端に前記突刺杆２が結合する挿通孔５を有する結合部３を形成し、突刺杆２を挿通孔５に挿入し、突刺杆２の基端部の係止段部２ａを結合部３に形成した係止部３ａに係止して穿刺杆２と結合部３を結合することで、穿孔具による鼻中隔への穿孔作業を不要とし、また、鼻輪の装着もリングの一端を突刺杆２を他端の結合部３に挿入するだけの作業で足りるものとして、ネジなどで両端を連結する作業も不要としたものである。
【０００５】
図中４は成形時の脱型のための抜き孔を示し、Ｃ字状環体１の外側の位置に形成してある。
【０００６】
また、下記特許文献にあるように鼻木と称するもので、鼻環と台木からなるものもある。
【特許文献４】特開平９−１８２５３８号公報
【０００７】
前記特許文献４は、合成樹脂製で馬蹄形に形成した鼻環の一端を、台木の内面一側部に枢軸によって回動自在とし、他端を尖鋭状に形成すると共に、切込溝を有する突刺杆とし、この突刺杆を台木の他端部の平面開口部に入れ、その開口部の下に上記突刺杆と嵌着する嵌着溝を有する摺動自在の係合具を設けて、突刺杆に設けた切込溝と係合するように構成したものである。
【発明の開示】
【発明が解決しようとする課題】
【０００８】
図示は省略するが、図１４〜図１７に示す牛の鼻輪で、結合部３を横長の直方体形状に大きく形成してこれを前記台木部分とすることも可能である。
【０００９】
この鼻環１６と台木１７からなる鼻木１８は、図１８に示すように鼻環６をロープＲで上げる鼻上げの場合は台木１７の部分がロープＲの係止部として有効であるが、鼻環１６を下げた場合には台木１７が下方に位置し、これが牛の口に入るおそれがあるなど、かなり邪魔な存在となる。
【００１０】
本発明の目的は前記不都合を解消し、鼻環と台木からなる鼻木タイプの牛の鼻輪でも、鼻環を鼻上げから下げたときに、台木部分が牛の口に入りづらい牛の鼻輪を提供することにある。
【課題を解決するための手段】
【００１１】
請求項１記載の本発明は前記目的を達成するため、弾性体よりなる環体の一端に矢尻状の突刺杆を設け、他端に前記突刺杆が係止する結合部を設けた牛の鼻輪において、環体は縦幅よりも横幅の大きいものとし、環体完成状態としては前記結合部が上部窪みに位置するハート形としたことを要旨とするものである。
【００１２】
請求項１記載の本発明によれば、環体は縦幅よりも横幅の大きいものとし、環体完成状態としては前記結合部が上部窪みに位置するハート形としたことにより、従来形状として同じ横幅のものに比べて縦幅の小さなコンパクトなものとすることができ、鼻環を鼻上げから下げたときにも台木部分としての前記結合部が必要以上に下がらず、台木部分が牛の口に入りづらいものとなる。
【００１３】
特に、ハート形とした場合の上部窪みに台木部分としての結合部が位置するので、鼻環を鼻上げから下げたときにこの部分の下がりをより小さくすることができる。
【００１４】
請求項２記載の本発明は、ハート形とした環体の本体には、環体の下部中央頂点を境に左右の途中環体を横切るように掛け渡すゴムバンドまたは紐の係止段部を外向きに形成したことを要旨とするものである。
【００１５】
請求項２記載の本発明によれば、ハート形として縦幅よりも横幅の大きいものとしたので、図１３に示すように、全体が横向きになってしまうおそれもあるが、図１２に示すようにゴムバンドまたは紐を環体を横切るように掛け渡すことにより、環体の空間を狭め、このような向きのずれを防止できる。
【発明の効果】
【００１６】
以上述べたように本発明の牛の鼻輪は、鼻環と台木からなる鼻木タイプの牛の鼻輪でも、鼻環を鼻上げから下げたときに、台木部分が牛の口に入りづらいものである。
【発明を実施するための最良の形態】
【００１７】
以下、図面について本発明の実施の形態を詳細に説明する。図１は本発明の牛の鼻輪の１実施形態を示す斜視図、図２は同上平面図で、弾性体よりなる環体２１と、この環体２１に一体に形成する結合部８と、この結合部８に取り付ける表示プレート１０とからなる。
【００１８】
弾性体よりなる環体２１は従来例として図１４〜図１７にも示すように、硬質合成樹脂製リングの一箇所を分離させて形成し、一方の分離端に矢尻状の突刺杆２２を、他方の分離端に前記突刺杆２２が結合する挿通孔５を有する結合部８を形成した。
【００１９】
本実施形態では矢尻状の突刺杆２２は杆本体２３の先端に四角錐形状の矢尻状部２４を形成し、この矢尻状部２４の基端部にはこの基端部を縮径するようにして係止段部２５を形成する。矢尻状部２４の基端部の、上下の対向部の箇所では該基端部を切欠くようにして矢尻状部２４とほぼ同じ傾斜面を有する係止突片２６を設ける。
【００２０】
四角錐形状の矢尻状部２４に合わせて杆本体２３も断面矩形であり、係止段部２５の縮径部分から少しの手前側は先端に向かって先細りとなる当接面２７とした。
【００２１】
前記弾性体よりなる環体２１は突刺杆２２が結合部８に挿入された環体完成状態としては、その環体は縦幅βよりも横幅αが大きいものとした。（図７参照）
【００２２】
本発明では、環体２１は下部中央頂点９を境に左右に「し」の字形に孤を描き、突刺杆２２がある端部付近と結合部８がある端部付近は折り返しとなるようにして、全体をハート形とし、結合部８がこのハート形の上部窪みに位置する。
【００２３】
このように結合部８がこのハート形の上部窪みに位置するようにするために、結合部８と環体２１との直結部分は環体２１が結合部８から上に跳ね上がるようになるものとし、また、結合部８に設ける挿通孔５は斜め方向に下がるように入り込むものとする。
【００２４】
このようにハート形とした環体２１には、前記下部中央頂点９を境に上昇カーブを描く左右の本体の途中に環体２１を横切るように掛け渡すゴムバンドまたは紐３０の係止段部２８を外向きに出っ張るように形成した。
【００２５】
ブロック状とした結合部８は本実施形態では直方体であり、横長として、環体２１が結合する短手方向の側面と反対側の側面に挿通孔５が形成される。
【００２６】
挿通孔５は、前記四角な矢尻状の突刺杆２２に合わせて、四角な開口であり、内部は前記当接面２７を含めて杆本体２３が係合する形状とし、結合部８の内部に形成した空間部７に抜ける。
【００２７】
この挿通孔５の空間部７への抜け口には突刺杆２２に形成した係止段部２５が係止する係止突片６が形成される。この係止突片６は該挿通孔５の空間部７への抜け口に対して外側に押し開くよう弾性を有する。
【００２８】
また、空間部７の前記係止部６と反対側の対向壁には、突刺杆２２の矢尻状部２４の先端が挿入される保持孔１１を形成している。
【００２９】
図中４は成形時の脱型のための抜き孔で、これはブロック状とした結合部８に適宜に形成される。
【００３０】
前記結合部８に取り付ける表示プレート１０は、合成樹脂製もしくは金属製であり、図９〜図１１に示すように、略矩形の平板１２を本体とし、この平板１２の裏側に係止爪片１３を脚状に突出させた。
【００３１】
係止爪片１３は先端爪部に係止段部１３ａを有し、本実施形態ではこの係止爪片１３を平板１２から４個を四角形に並べて突出させる。
【００３２】
表示プレート１０は、本体である平板１２の表面に牛の種類や親牛の名前等必要な情報１５を表示したものである。この情報１５はトレサビリティを内容とするものであってもよい。表示方法は特に問わず、ホットスタンプによるもの、シールの貼り付けによるもの、刻示したものなど種々選択できる。また、ＩＣチップやＩＣタグを埋設したり、貼り付けたりしてもよい。
【００３３】
一方、前記ブロック状の結合部８には前記係止爪片１３が挿入する爪片挿入孔１４を設ける。
【００３４】
この爪片挿入孔１４は前記４個を四角形に並べて突出させた係止爪片１３の配置に合わせてブロック状の結合部８の広い面に４個を四角形に並べて穿設し、各爪片挿入孔１４の内部には係止爪片１３の係止段部１３ａが掛止する段部（図示せず）を形成した。
【００３５】
また、爪片挿入孔１４はブロック状の結合部８の前後面の両方に設け、前後面に抜けるようにする。
【００３６】
次にかかる鼻輪を牛の鼻中隔に装着する方法を説明する。図１〜図３に示すように環体２１を開いた状態にして、一端の穿刺杆２２と他端の結合部８とをそれぞれ鼻中隔を境とする左右の鼻孔に挿入し、この状態で穿刺杆２２を結合部８とを相互に閉塞すれば、穿刺杆２２の先端の矢尻状部２４が鼻中隔を突き破って結合部８の挿入孔５内に入り込む。
【００３７】
そして、矢尻状部２４は挿通孔５内で結合部８の係止突片として形成された係止部６を外側に押し広げながらさらに奥部へと入り込み、係止部６の先端が矢尻状部２４の基部の係止段部２５に係止して、穿刺杆２２が結合部８内に固定される。
【００３８】
この挿入時、穿刺杆２２の側の係止突片２６はその弾力に抗してすぼまりながら挿通孔５内を進入し、穿刺杆２２が挿通孔５を抜け出たところで、その弾力により復位する。その結果、穿刺杆２２は挿通孔５を再度通ることはなく、結合部８からの離脱はない。
【００３９】
また、穿刺杆２２が結合部８と結合した状態では穿刺杆２２の先端が結合部８の保持孔１１に挿入するから、穿刺杆２と結合部８とは強固に結合し、また、抜き孔４等の窓孔から確認できる。（図５参照）
【００４０】
このように環体２１は突刺杆２２が結合部８に挿入された環体完成状態としては全体をハート形とし、結合部８がこのハート形の上部窪みに位置するので、図１２に示すように、鼻環を鼻上げから下げたときに、台木部分となる結合部８が必要以上に下に下がらず、牛の口に入りづらいものとなる。
【００４１】
ただし、このようにハート形とした環体２１は、縦幅よりも横幅が大きいものとなるので、図１３に示すように横向きに垂れ下がってしまうおそれもある。
【００４２】
そこで、環体２１を横切るようにゴムバンドまたは紐３０を掛け渡して、環体２１の空間を仕切り、横向きにならないようにすることができる。
【００４３】
なお、図１８に示す鼻輪をロープで上げる鼻上げの場合には、結合部８をロープを掛ける台木として利用できるとともに、この場合は結合部８は鼻の上に位置するので、口に入るおそれはない。
【００４４】
このように鼻輪を牛の鼻中隔に装着した段階で、もしくは装着する前に、表示プレート１０を結合部８に取り付けるには、結合部８の爪片挿入孔１４に係止爪片１３を差し入れるようにして表示プレート１０を結合部８に重ね合わせればよい。
【００４５】
爪片挿入孔１４の内部では係止爪片１３の係止段部１３ａが段部に掛止して抜け出すことはない。
【００４６】
また、表示プレート１０は結合部８の表面と裏面のいずれでも取り付け可能である。従って、鼻輪を前後を間違えて取り付けてしまった場合や、図１８に示すように、鼻輪をロープで上げる鼻上げの場合でも前面に向けて取り付けることができ、鼻上げしないで下に垂らす場合の両方に対応できる。
【図面の簡単な説明】
【００４７】
【図１】本発明の牛の鼻輪の１実施形態を示す斜視図である。
【図２】本発明の牛の鼻輪の１実施形態を示す正面図である。
【図３】本発明の牛の鼻輪の１実施形態を示す他の角度からの斜視図である。
【図４】本発明の牛の鼻輪の１実施形態を示す要部の正面図である。
【図５】本発明の牛の鼻輪の１実施形態を示す環体結合状態の斜視図である。
【図６】本発明の牛の鼻輪の１実施形態を示す環体結合状態の他の角度からの斜視図である。
【図７】本発明の牛の鼻輪の１実施形態を示す環体結合状態の正面図である。
【図８】本発明の牛の鼻輪の１実施形態を示す環体結合状態でゴムバンドまたは紐を掛け渡した状態の正面図である。
【図９】表示プレートの正面図である。
【図１０】表示プレートの側面図である。
【図１１】表示プレートの平面図である。
【図１２】本発明の牛の鼻輪の使用状態を示す斜視図である。
【図１３】本発明の牛の鼻輪の使用状態で横にずれた状態を示す斜視図である。
【図１４】従来の牛の鼻輪の一部切欠いた正面図である。
【図１５】従来の牛の鼻輪の突刺杆の平面図である。
【図１６】従来の牛の鼻輪の結合部の正面図である。
【図１７】従来の牛の鼻輪を牛に装着した状態の斜視図である。
【図１８】従来の牛の鼻輪を鼻上げ状態で使用した斜視図である。
【符号の説明】
【００４８】
１…Ｃ字状環体                      １ａ…本体
２…突刺杆                          ２ａ…係止段部
３…結合部                          ３ａ…係止部
４…抜き孔                          ５…挿通孔
６…係止突片                        ７…空間部
８…結合部                          ９…下部中央頂点
１０…表示プレート
１１…保持孔                        １２…平板
１３…係止爪片                      １３ａ…係止段部
１４…爪片挿入孔                    １５…情報
１６…鼻環                          １７…台木
１８…鼻木
２１…環体                          ２２…突刺杆
２３…杆本体                        ２４…矢尻状部
２５…係止段部                      ２６…係止突片
１７…当接面                        ２８…係止段部
３０…ゴムバンドまたは紐
【図１】
2011115092.tif 000003
【図２】
2011115092.tif 000004
【図３】
2011115092.tif 000005
【図４】
2011115092.tif 000006
【図５】
2011115092.tif 000007
【図６】
2011115092.tif 000008
【図７】
2011115092.tif 000009
【図８】
2011115092.tif 000010
【図９】
2011115092.tif 000011
【図１０】
2011115092.tif 000012
【図１１】
2011115092.tif 000013
【図１２】
2011115092.tif 000014
【図１３】
2011115092.tif 000015
【図１４】
2011115092.tif 000016
【図１５】
2011115092.tif 000017
【図１６】
2011115092.tif 000018
【図１７】
2011115092.tif 000019
【図１８】
2011115092.tif 000020